(57)【要約】【課題】静止画像の保持不良を防止する。【解決手段】図示のように帯電粒子４を第２電極６に引き付けた場合には、第１電極５を配置した領域が視認され、例えば白表示がなされる。このとき、第１電極５にはカウンターイオン（帯電粒子４とは逆の極性のイオン）が引き付けられている。その後、第３電極７に電圧を印加してこのカウンターイオンを該電極７の方に一旦引き付け、その後、カウンターイオンを解放する。このとき、カウンターイオンと帯電粒子４との間に電界が作用するが、第３電極の働きにより帯電粒子４は移動せず、電気泳動表示装置全体としては静止画像を保持することができる。【選択図】      図１
2004294718.tif 000002
【特許請求の範囲】
【請求項１】
所定間隙を開けた状態に配置された第１基板及び第２基板と、これらの基板の間隙に配置された絶縁性液体及び複数の帯電粒子と、該絶縁性液体に近接するように配置された第１乃至第３電極と、を備えた電気泳動表示装置を駆動する、電気泳動表示装置の駆動方法において、
前記第１電極と前記第２電極との間に電圧を印加して前記帯電粒子を移動させることに基づき情報を表示する第１工程と、
該第１工程にて発生したカウンターイオンを前記第３電極に引き付ける第２工程と、を備え、かつ、
前記第２工程の後で前記第３電極への電圧印加を解除する、
ことを特徴とする電気泳動表示装置の駆動方法。
【発明の詳細な説明】
【０００１】
【発明の属する技術分野】
本発明は、電圧を印加して前記帯電粒子を移動させることに基づき表示を行う電気泳動表示装置の駆動方法に関する。
【０００２】
【従来の技術】
近年、電圧を印加して前記帯電粒子を移動させることに基づき表示を行う電気泳動表示装置が注目されている。
【０００３】
この種の電気泳動表示装置は、所定間隙を開けた状態に配置された第１基板及び第２基板を備えており、これらの基板の間隙には絶縁性液体や帯電粒子が配置されている。また、各画素には第１電極及び第２電極が配置されていて、電圧を印加して前記帯電粒子を移動させることに基づき表示を行うように構成されている。そして、かかる電気泳動表示装置には、
・  第１電極及び第２電極の両方を同じ基板に沿うように配置したもの（いわゆる水平移動型）と、
・  第１電極及び第２電極を別々の基板に沿うように配置したもの（いわゆる上下移動型）
とがあった。
【０００４】
そして、かかる電気泳動表示装置を駆動する方法も種々のものが提案されている（例えば、特許文献１参照。）。例えば、表示を行う際、所定範囲のバイアス電圧（表示変化の閾値電圧以下のバイアス電圧）を印加する駆動方法も提案されている。
【０００５】
【特許文献１】
特開昭５２−２７２９５号公報
【０００６】
【発明が解決しようとする課題】
ところで、このような電気泳動表示装置にて静止画像を表示する場合、第１電極と第２電極との間に書き込み電圧を印加するが、その電圧解除後に、書き込み状態（静止画像）が保持されずに変化してしまう（いわゆる保持不良）という現象が観測されることがあった。このような現象は、水平移動型電気泳動表示装置において、面積の小さい電極近傍に帯電粒子を移動させた後に面積の大きな電極方向へ粒子が移動してしまう場合、上下移動型電気泳動表示装置において、一方の電極近傍に帯電粒子を移動させた後に、他方の電極方向へ粒子が移動してしまう場合に、顕著であった。
【０００７】
そのような現象が生じる原因としては、たとえば、
▲１▼  帯電粒子とセル構成部材との間の引力（たとえばｖａｎ  ｄｅｒ  Ｗａａｌｓ力等）の不足、
▲２▼  同極に帯電した粒子間、あるいはセル構成部材が粒子と同極に帯電している場合は粒子とセル構成部材間の静電的な斥力、
▲３▼  セル中に満たされている絶縁性液体の流れ
等様々な現象が関与していることと思われるが、その他の要因として、
▲４▼  駆動することによって生じた帯電粒子とその逆極性の電荷を有するカウンターイオンとの間で作られる粒子駆動方向とは逆方向の電界による影響
が考えられる。
【０００８】
ここで、上記▲４▼のカウンターイオンについて詳述する。
【０００９】
説明の便宜のため、帯電粒子の帯電極性をマイナスとし、第２電極を接地したものとし、第１電極にはプラス極性の電圧やマイナス極性の電圧を印加したとする。また、第１電極の表面には散乱層を配置して白表示を行うようにし、帯電粒子は黒色に着色したとする。
【００１０】
まず、第１電極にマイナス極性の電圧を印加すると、マイナス極性に帯電されている帯電粒子は第２電極の方に移動して第１電極が露出され、散乱層の白色が画素の色として視認される。
【００１１】
ところで、絶縁性液体は、通常電気的には中性であり、系中には、カウンターイオン（帯電極性が帯電粒子とは逆のイオン）が、粒子帯電量を電気的に中和しえるだけの量だけ存在していると考えられる。したがって、上述のように白表示が行われている場合、第１電極にはプラス極性のカウンターイオンが引き付けられることとなる。
【００１２】
この状態で電極の印加電圧を解除すると、帯電粒子とカウンターイオンとの間に逆方向の電界（つまり、白表示時に粒子を第２電極近傍へ移動させるために印加された電界とは逆方向の電界）が作用してしまう。そして、この電界の作用によって、第２電極近傍の帯電粒子が第１電極に移動してしまうと、白表示ではなく灰色を表示してしまったり、移動量が多いと黒色を表示してしまったりして、電気泳動表示装置全体では静止画像を維持できない結果となる。
【００１３】
また、第１電極にプラス極性の電圧を印加すると、帯電粒子は第１電極の方に移動し、帯電粒子の黒色が画素の色として視認される。このとき、カウンターイオンは第２電極の方に集積されているが、電極の印加電圧を解除すると、第１電極近傍の帯電粒子を第２電極の方へ移動させるような電界が発生してしまい、同様に、静止画像を維持できない結果となる。
【００１４】
なお、我々の今までの実験の結果、書込み終了後の逆電圧については、白表示時、黒表示時同様に生じるものの、外部から観察した場合、黒書込み後の粒子の拡散は表示品位に対して左程の影響を与えないものの、白書込み後の帯電粒子の第１電極方向への拡散は表示品位を大きく損なうことが確認されている。
【００１５】
そこで、本発明は、静止画像の保持不良を防止する電気泳動表示装置の駆動方法を提供することを目的とするものである。
【００１６】
【課題を解決するための手段】
本発明は上記事情を考慮してなされたものであり、所定間隙を開けた状態に配置された第１基板及び第２基板と、これらの基板の間隙に配置された絶縁性液体及び複数の帯電粒子と、該絶縁性液体に近接するように配置された第１乃至第３電極と、を備えた電気泳動表示装置を駆動する、電気泳動表示装置の駆動方法において、
前記第１電極と前記第２電極との間に電圧を印加して前記帯電粒子を移動させることに基づき情報を表示する第１工程と、
該第１工程にて発生したカウンターイオンを前記第３電極に引き付ける第２工程と、を備え、かつ、
前記第２工程の後で前記第３電極への電圧印加を解除する、ことを特徴とする。
【００１７】
【発明の実施の形態】
以下、図１乃至図４を参照して、本発明の実施の形態について説明する。
【００１８】
本実施の形態に係る電気泳動表示装置は、図１に示すように、所定間隙を開けた状態に配置された第１基板１及び第２基板２を備えており、これらの基板１，２の間隙には絶縁性液体３及び複数の帯電粒子４が配置されている。そして、この絶縁性液体３に近接する位置には、第１電極５、第２電極６及び第３電極７が配置されており、第１電極５に帯電粒子４を引き付けた場合と第２電極６に帯電粒子４を引き付けた場合との色の差を利用して情報を表示するように構成されている。また、その情報表示の際にカウンターイオンが絶縁性液体中に発生するが、そのカウンターイオンは、前記第３電極７に引き付けた後で解放するように構成されている（詳細は後述）。
【００１９】
図１に示す電気泳動表示装置では、第１電極５及び第２電極６は同じ基板１に支持されている（すなわち、水平移動型である）が、これに限られるものではなく、第１電極及び第２電極を別々の基板１，２に支持させても良い（すなわち、上下移動型としても良い）。
【００２０】
なお、第３電極を敷設する場所は、カウンターイオンを効果的に集積し、後述するように第２工程後において帯電粒子の拡散を防止できる場所であれば何処でも良い。第２電極近傍に集合せしめられた帯電粒子の第１電極上への拡散が表示品位を大きく落とすことから、後述のように隔壁８を配置した場合には、その隔壁８の上方、もしくはその近傍に設置することが望ましい。また、隔壁８の内周に粒子拡散防止のための構造体を敷設し、その構造体上に第３電極を敷設することも可能である。
【００２１】
ところで、このような電気泳動表示装置を用いて表示を行うには、帯電粒子４や他の部材を適宜着色しておく必要がある。例えば、図１に示す水平移動型の電気泳動表示装置では、第１電極５が配置された領域（以下、“第１電極領域”とする）と帯電粒子４とをそれぞれ異なる色に着色しておく必要がある。ここで、第１電極領域を着色する方法としては、
・  第１電極自体を着色する方法や
・  電極とは別に着色層を設ける方法や
・  第１電極を覆うように配置された絶縁層を着色する方法
などがある。
【００２２】
以下、電気泳動表示装置の各構成部品について説明する。
【００２３】
基板間隙には各画素を仕切るように隔壁８を配置すると良い。この隔壁８には、ポリマー樹脂を使用すれば良く、具体的には、ポリイミド樹脂、ポリエステル樹脂、ポリアクリレート樹脂、ポリメタクリレート樹脂、ポリカーボネート樹脂、ポリアリレート樹脂、ノボラック樹脂、エポキシ樹脂等を使用すれば良い。この隔壁８を形成する方法としては、
・  光感光性樹脂層を塗布した後露光及びウエット現像を行う方法
・  印刷法によって形成する方法
・  隔壁を形成した後に基板に接着する方法、
・  光透過性の基板表面にモールドによって形成しておく方法
等を挙げることができる。図１に示す隔壁８は基板１，２の法線方向に配置された板状部材であるが、もちろんこれに限られるものではなく、マイクロカプセル状（つまり、基板１，２の法線方向のみならず基板１，２の面に沿って配置された殻状形状）としても良い。前者の場合は、隔壁８と基板１，２とによって絶縁性液体３や帯電粒子４を封止でき、後者の場合は、マイクロカプセル状の隔壁だけで絶縁性液体３や帯電粒子４を封止できる。
【００２４】
基板１，２には、ポリエチレンテレフタレート（ＰＥＴ）、ポリエーテルサルフォン（ＰＥＳ）、ポリイミド（ＰＩ）、ポリエチレンナフタレ−ト（ＰＥＮ）、ポリカーボネート（ＰＣ）等のポリマーフィルム、ガラス、石英等の無機材料、あるいは表面に絶縁層を有するステンレス基板を使用することができる。なお、観察者側の基板２には、可視光の透過率が高い材料、たとえば透明なポリマーフィルムやガラスを使用するとよい。また、基板２の表面（絶縁性液体３と接触する方の面）には、ゴム硬度が１０以上９０以下の範囲にある高分子材料、具体的にはシリコン樹脂、天然ゴム、熱可塑性エラストマー樹脂等による樹脂層（符号９参照）を形成しても良い。
【００２５】
また、電極５，６，７には、パターニング可能な導電性材料ならどのようなものでも使用でき、例えば酸化インジウムすず（ＩＴＯ）、アルミ、チタンなどを挙げることができる。なお、図１に示す水平移動型電気泳動表示装置では、第１電極５と第２電極６とは異なる高さ（つまり、基板の法線方向に関してオフセットされた位置）に形成されているが、同じ高さに形成しても良い。また、図１に示す水平移動型電気泳動表示装置では、各画素の第１電極５は互いに分離されていて電気的導通は取られていないが、各画素の第１電極５の電気的導通を取るようにしても良い。
【００２６】
これらの電極の表面に絶縁層を形成し、
・  電極同士の絶縁や、
・  電極から帯電粒子４への電荷注入
を防止すると良い。この絶縁層に用いる材料としては、薄膜でピンホールが形成されにくいものが良い。具体的には、高い透明性を有するポリイミド樹脂、ポリエステル樹脂、ポリアクリレート樹脂、ポリメタクリレート樹脂、ポリカーボネート樹脂、ポリアリレート樹脂、ノボラック樹脂、エポキシ樹脂等を挙げることができる。
【００２７】
また、
・  第１電極５の手前側（図示上側）に散乱層を配置しても（符号１０参照）、
・  第１電極５を透明にすると共に、その後ろ側（図示下側）に反射層を配置しても（不図示）、
良い。散乱層としては、反射性の高い微粒子を透明な絶縁性樹脂に含有させたものを用いれば良く、微粒子としては酸化チタンやＡｌ２Ｏ３が好ましく、絶縁性樹脂としては、アクリル樹脂、ウレタン樹脂、フッ素系樹脂、ノルボルネン樹脂、ＰＣ、ＰＥＴなどを挙げることができる。散乱層が厚いと、反射率を高くして表示品位を高めることができる反面、駆動電圧の上昇を引き起こしてしまうことになる。したがって、散乱層の厚さは０．１〜２０μｍの範囲が好ましい。
【００２８】
本発明に用いられる帯電粒子４の平均粒径は、０．１μｍ以上１０μｍ以下の範囲であることが好ましい。着色剤としては特に限定されないが、例えば、カーボンブラック、酸化チタン、硫酸バリウム、ニグロシン、鉄黒、アニリンブルー、カルコイルブルー、クロムイエロー、ウルトラマリンブルー、デュポンオイルレッド、キノリンイエロー、メチレンブルークロリド、フタロシアニンブルー、フタロシアニングリーン、スカイブルー、ローダミンレーキ等が挙げられる。また粒子樹脂としては、ポリスチレン、ポリエチレン、ポリエステル、ポリメタクリレート、ポリアクリルレート、ポリアクリル酸エステル、ポリエチレン−アクリル酸共重合体、ポリエチレン−メタクリル酸共重合体、ポリエチレン−酢酸ビニル共重合体等のポリエチレン系樹脂その他ポリ塩化ビニル樹脂、ニトロセルロース、フェノール樹脂、ポリアミド樹脂等の高分子材料が挙げられる。これらの材料は単独あるいは２種類以上を併用してもよい。
【００２９】
絶縁性液体３としては、導電率の低い、高絶縁性の有機溶媒を使用すると良い。そのようなものとしては、ベンゼン、トルエン、キシレンなどの芳香族炭化水素系溶剤、ヘキサン、シクロヘキサン、パラフィン系炭化水素溶媒、イソパラフィン系炭化水素、ナフテン系炭化水素等の脂肪族炭化水素系溶媒、ハロゲン化炭化水素系溶媒、あるいはシリコンオイル、高純度石油などが挙げられるが、中でも脂肪族炭化水素溶媒が好適に使用され、具体的にはアイソパーＧ、Ｈ，Ｍ，Ｌ（いずれもエクソン化学社製）、Ｓｈｅｌｌｓｏｌ（昭和シェルジャパン）、ＩＰソルベント１０１６、１６２０、２０２８、２８３５（出光石油化学）が挙げられ、これらを単独、あるいは２種類以上混合して用いることができる。
【００３０】
絶縁性液体３には必要に応じて帯電粒子の帯電量を高める、あるいは帯電安定性を付与する目的で、帯電制御剤や解離安定剤、分散安定剤等の添加剤が含有されていても良い。
【００３１】
帯電制御剤としては金属石鹸を用いると良く、具体的には、たとえばナフテン酸コバルト、ナフテン酸ジルコニウム、ナフテン酸銅、ナフテン酸鉄、ナフテン酸鉛、ナフテン酸マンガン、ナフテン酸亜鉛、オクテン酸コバルト、オクテン酸ジルコニウム、オクテン酸鉄、オクテン酸鉛、オクテン酸ニッケル、オクテン酸マンガン、オクテン酸亜鉛等の金属石鹸が挙げられるが、これらに限定されるものではない。
【００３２】
また、帯電粒子の帯電量を高める、あるいは帯電安定性を付与する目的で、ロジンエステルまたはロジン誘導体を使用することができる。ロジンエステルまたはロジン誘導体としては絶縁性液体に可溶であるならば特に限定されないが、たとえばガムロジン、ウッドロジン、トール油ロジン、ロジン変性マレイン酸、ロジン変性ペンタエリスリトール、ロジングリセリンエステル、部分水素添加ロジンメチルエステル、部分水素添加ロジングリセリンエステル、部分水素添加ロジントリエチレングリコールエステル、完全水素添加ロジンペンタエリスリトールエステル、マレイン酸変性ロジンエステル、フマル酸変性ロジンエステル、アクリル酸変性ロジンエステル、マレイン酸変性ロジンペンタエリスリトールエステル、フマル酸変性ロジンペンタエリスリトールエステル、アクリル酸変性ロジングリセリンエステル、マレイン酸変性ロジングリセリンエステル、フマル酸変性ロジングリセリンエステル、アクリル酸変性ロジングリセリンエステル等が挙げられる。
【００３３】
分散安定剤としては具体的には、ポリブタジエン、ポリイソプレン、ポリイソブチレン、ポリブテン、スチレンブタジエン共重合体、スチレンイソプレン共重合体、スチレン無水マレイン酸共重合体、ノルボルネン樹脂、ポリエチレンワックスが挙げられる。中でも、スチレンブタジエン共重合体が好ましく、例えば市販の材料としては、Ｅ−ＳＢＲ、Ｓ−ＳＢＲ（ＪＳＲ（株）製）、ＮＩＰＯＬ１５０２，  ＮＩＰＯＬ１７１２、ＮＩＰＯＬ  ＮＳ１１２，  ＮＩＰＯＬ  ＮＳ１１６、ＮＩＰＯＬ１００６，  ＮＩＰＯＬ１００９（日本ゼオン（株）製）、タフデン、タフプレン、アサプレン（旭化成社製）、住友ＳＢＲ（住友化学（株）製）を使用することができる。
【００３４】
本発明においては、これらの帯電制御剤ならびに帯電安定化剤、分散安定剤は、単独または２種類以上混合して用いることができる。
【００３５】
次に、本発明に係る電気泳動表示装置の駆動方法について説明する。
【００３６】
本発明に係る電気泳動表示装置の駆動方法は、
▲１▼  前記第１電極５と前記第２電極６との間に電圧を印加して前記帯電粒子４を移動させることに基づき情報を表示する第１工程（図１〜３の符号Ｆ１１，Ｆ２１参照）と、
▲２▼  該第１工程にて発生したカウンターイオンを前記第３電極７に引き付ける第２工程（図１〜３の符号Ｆ１２，Ｆ２２参照）と、
を備えており、前記第２工程の後で前記第３電極７への電圧印加を解除する、ことを特徴とする。
【００３７】
前記第２工程では、カウンターイオンとは逆の極性の電圧を前記第３電極７に印加すると良い。
【００３８】
カウンターイオンを第３電極近傍に充分移動させるためには、前記第２工程にて前記第３電極７に印加する電圧値は、前記第１工程にて帯電粒子と同一の極性の電圧が印加された第１或いは第２電極が第２工程にて印加している電圧値よりも大きくすると良く、具体的には、５倍以上であると良い。
【００３９】
一方、第２工程において第１電極及び第２電極の電圧を低くしてしまうと、帯電粒子が移動してしまう。そこで、帯電粒子が移動しないように、第２工程においてもこれらの電極の間に電圧を印加しておく必要がある。具体的には、前記第２工程にて前記第１電極５及び前記第２電極６に印加される電圧（図４のＶｓ´）は、前記第１工程にて前記第１電極５及び前記第２電極６に印加される電圧（図４のＶｓ）の１／２以下程度であると良い。
【００４０】
なお、図２〜４では、第２電極６の電圧Ｖ２は０Ｖとしているが、もちろんこれに限られるものではなく、第２電極６に電圧を印加しても良い。
【００４１】
ところで、１つの静止画像を表示する期間をフィールド期間（図１〜３の符号Ｆ１参照）と定義した場合において、該１つのフィールド期間を複数のサブフィールド期間（図１〜３の符号Ｆ１１，Ｆ１２参照）に分割し、
・  上記第１工程を１のサブフィールド期間Ｆ１１にて行い、
・  上記第２工程を他のサブフィールド期間Ｆ１２にて行う、
と良い。
【００４２】
なお、図２〜図４に示す駆動方法ではサブフィールド期間の数は２つであるが、サブフィールド期間の数を３つ以上としても良い。サブフィールド期間の数を３つ以上とする場合は、
・  上記第１工程を１のサブフィールド期間にて行い、
・  上記第２工程を残りの複数のサブフィールド期間にて行う、
と良く、第３電極に印加する電圧は、第２工程の各サブフィールド期間にて徐々に変化させ、カウンターイオンの移動を制御すれば良い。
【００４３】
また、図２〜図４に示す駆動方法では各サブフィールド期間の長さは等しいが、サブフィールド期間の長さを等しくしなくても良い。すなわち、第１工程のためのサブフィールド期間は帯電粒子４の移動に必要な期間であり、第２工程のためのサブフィールド期間はカウンターイオンの移動に必要な期間である。したがって、帯電粒子の移動速度（泳動速度）及びカウンターイオンの移動速度が等しい場合には各サブフィールド期間の長さも等しくすれば良いが、
・  帯電粒子の移動速度（泳動速度）がカウンターイオンの移動速度より大きい場合には、第１工程のためのサブフィールド期間を帯電粒子の移動速度に応じて長くすれば良く、
・  帯電粒子の移動速度（泳動速度）がカウンターイオンの移動速度より小さい場合には、第２工程のためのサブフィールド期間をカウンターイオンの移動速度に応じて長くすれば良い。
【００４４】
マトリクス表示を行なう場合、第３電極はプロセスが簡易であることから、共通電極として敷設されることが望ましい。ところで、上述したように、前記第２工程にて前記第３電極７に印加する電圧値は、前記第１工程にて帯電粒子と同一の極性の電圧が印加された第１或いは第２電極が第２工程にて印加している電圧値の５倍以上であると良い。しかし、“前記第１工程にて第１或いは第２電極に印加される電圧（帯電粒子と同一の極性の電圧）”を画素毎に異ならせた場合、共通電極である第３電極には、“前記第１工程にて第１或いは第２電極に印加される電圧（帯電粒子と同一の極性の電圧）”の内の最大値の５倍の電圧を第３電極に印加すると良い。これにより、カウンターイオンの捕捉を効果的に行うことができる。
【００４５】
また、第３電極を（共通電極とはせずに）各画素ごとに独立して敷設することも可能である。“前記第１工程にて第１或いは第２電極に印加される電圧（帯電粒子と同一の極性の電圧）”を画素毎に異ならせた場合、“第３電極に印加する電圧”も画素毎に異ならせて、前記第２工程にて前記第３電極７に印加する電圧値は、前記第１工程にて帯電粒子と同一の極性の電圧が印加された第１或いは第２電極が第２工程にて印加している電圧値の５倍以上にすると良い。
【００４６】
次に、本実施の形態の効果について説明する。
【００４７】
本実施の形態によれば、保持特性の良好な駆動を可能とすることができる。
【００４８】
【実施例】
以下、実施例に沿って本発明を更に詳細に説明する。
【００４９】
（実施例１）
本実施例では図１に示す構造の電気泳動表示装置を作製した。
【００５０】
すなわち、所定間隙を開けた状態に第１基板１及び第２基板２を配置し、これらの基板１，２の間隙には画素を仕切るように隔壁８を配置し、各画素には絶縁性液体３及び帯電粒子４を充填した。また、各画素には、
・  第１基板１に沿うように第１電極５を配置し、
・  隔壁８と第１基板１との間に第２電極６を配置し、
・  隔壁８と第２基板２との間に第３電極７を配置
した。そして、第１電極５を覆うように基板全面に散乱層１０を形成し、この散乱層１０や隔壁８の表面は透明樹脂層１１にてコーティングした。また、第２基板２の表面には樹脂層９を形成し、第３電極７と隔壁８との間には接着層１２を配置した。
【００５１】
本実施例においては、帯電粒子４には、無機顔料であるカーボンブラック（ＣＢ、平均粒径８０ｎｍ）で黒色に着色したポリスチレン粒子（平均粒径２．５μｍ）を用い、第１電極領域は散乱層１０の働きにより白色を示すようにした。
【００５２】
次に、電気泳動表示装置の製造方法について説明する。
【００５３】
まず、０．７ｍｍ厚のガラス基板１の表面にアルミニウム膜を１００ｎｍの厚みに成膜し、パターニングして第１電極５を形成した。そして、この第１電極５を覆うように酸化チタン微粒子を混合させて白色化させたポリウレタン樹脂層（散乱層）１０を形成した。さらに、この樹脂層１０の表面であって画素境界部には、暗黒色の炭化チタンを成膜し、フォトリソグラフィー及びドライエッチングによりライン状にパターニングして第２電極６を形成した。第２電極６の厚みは５０ｎｍであり、線幅は１２μｍとした。
【００５４】
その後、光感光性エポキシ樹脂（ＳＵ８  日本マグダーミッド（株）製）を塗布した後に露光及びウエット現像を行ない、第２電極６が形成された領域には隔壁８を形成した。なお、隔壁８の高さは３０μｍ、幅１２μｍ、間隔１２０μｍとした。
【００５５】
そして、セル内面を覆うようにポリアクリレート樹脂（オプトマーＳＳ６６９９  ＪＳＲ（株）製）からなる透明樹脂層１１を形成した。
【００５６】
次に、隔壁８の上面（基板２が貼り付けられる面）にＵＶ硬化性の接着層１２を形成した。
【００５７】
そして、隔壁８にて区画される凹部に帯電粒子４を混合した分散液を充填した。なお、分散液は、該帯電粒子１重量部、分散媒として脂肪族炭化水素溶媒であるアイソパーＨ（エクソン社製）１００重量部、オクテン酸ジルコニウム（ニッカオクチックスジルコニウム、日本化学産業（株）製）０．１重量部、ロジンエステル（ネオトール１２５Ｈ、ハリマ化成（株）製）２．５重量部、スチレンブタジエン共重合体（アサプレン１２０５、旭化成（株）製）０．８重量部とを混合し、１時間攪拌して作製した。
【００５８】
一方、第２基板２としては、厚さ８０μｍのガラス基板（コーニング社製マイクロシート）を使用し、その表面には樹脂層９を形成し、さらに、画素境界部には第３電極７を形成した。この第３電極７は、ＩＴＯ（酸化インジウムすず）を７０ｎｍの厚さに蒸着し、幅１２μｍ、間隔１２０μｍでエッチングして形成した。
【００５９】
そして、この第３電極７と上述した接着層１２とが一致するように基板２を押し付け、ＵＶ硬化させることで本発明の電気泳動表示装置を作製した。
【００６０】
次に、この電気泳動表示装置に図２に示す電圧を印加して駆動した。
【００６１】
すなわち、１つのフィールド期間Ｆｉ（但し、ｉ＝１，２，…）を２秒間とし、各フィールド期間は２つのサブフィールド期間Ｆｉ１，Ｆｉ２に等分割した。また、第２電極６は接地して電圧Ｖ２を０Ｖとし、第１電極５の電圧Ｖ１はフィールド期間毎に±２０Ｖを切り換え、第３電極７の電圧Ｖ３は、最初のサブフィールド期間Ｆｉ１では０Ｖとし次のサブフィールド期間Ｆｉ２では−４０Ｖとした。
【００６２】
以下、具体的に説明する。
【００６３】
１つ目のフィールド期間Ｆ１の最初のサブフィールド期間Ｆ１１では、第２電極６及び第３電極７の電圧Ｖ２，Ｖ３を０Ｖとした状態で第１電極５に＋２０Ｖの電圧を印加した。すると、マイナスに帯電されている帯電粒子４は第１電極５を覆うように分散配置され、黒表示が行われる。なお、このとき、カウンターイオンは第２電極６に引き付けられている。
【００６４】
次のサブフィールド期間Ｆ１２では、第１電極５の電圧Ｖ１は＋２０Ｖに維持し、第２電極６の電圧Ｖ２は０Ｖに維持し、第３電極７の電圧Ｖ３を切り替えて０Ｖから−４０Ｖにした。すると、第２電極６上に集合していたカウンターイオンが第３電極７近傍へと移動し、カウンターイオンの再配置が行なわれる。
【００６５】
次のサブフィールド期間Ｆ２１にて第３電極７に印加していた電圧を取り除くと、帯電粒子４とカウンターイオン間に電界が生じる。この時は、帯電粒子を第１電極から引き剥がす方向へ電界が作用していることとなるが、第１電極からの帯電粒子の舞い上がりは外部からは視認しづらいことも有り、表示品位に特に顕著な差は見られなかった。
【００６６】
２つ目のフィールド期間Ｆ２の最初のサブフィールド期間Ｆ２１では、第２電極６及び第３電極７の電圧Ｖ３を０Ｖとした状態で第１電極５に−２０Ｖの電圧を印加した。すると、マイナスに帯電されている帯電粒子４は第２電極６の近傍に集積され、白表示が行われる。なお、このとき、カウンターイオンは第１電極５に引き付けられている。
【００６７】
次のサブフィールド期間Ｆ２２では、第１電極５の電圧Ｖ１は−２０Ｖに維持し、第２電極６の電圧Ｖ２は０Ｖに維持し、第３電極７の電圧Ｖ３を切り替えて０Ｖから−４０Ｖにした。すると、第１電極５上に集合していたカウンターイオンが第３電極５近傍へと移動し、カウンターイオンの再配置が行なわれる。
【００６８】
３つ目のフィールド期間Ｆ３の最初のサブフィールド期間Ｆ３１にて第３電極７に印加していた電圧を取り除くと、帯電粒子４はごく僅かに第１電極近傍へ離脱する現象が見られたが、保持特性が大幅に改善されていることが確認された。つまり、帯電粒子４とカウンターイオン間に電界が生じるものの、その方向は、隔壁８に沿ったセル上下方向であり、粒子４を第１電極５方向へ引き剥がす力としては作用し得ないことが判明した。その結果、白書込み後に電圧印加を取り除いても、帯電粒子の第１電極５方向への拡散は見られず、白表示が安定に保持されることとなる。
【００６９】
（実施例２）
本実施例では、実施例１と同じ構造の電気泳動表示装置を図３に示すように駆動した。
【００７０】
すなわち、第１電極５及び第２電極６への印加電圧Ｖ１，Ｖ２は実施例１と同じとした（すなわち、第１電極５の駆動電圧は±２０Ｖとし、第２電極６の電圧Ｖ２は０Ｖとした）が、第３電極７への印加電圧は−４０Ｖではなく−１００Ｖとした。なお、フィールド期間やサブフィールド期間の長さは同じとした。
【００７１】
本実施例においても、実施例１と同様の効果が得られた。
【００７２】
（実施例３）
本実施例では、実施例１と同じ構造の電気泳動表示装置を図４に示すように駆動した。
【００７３】
すなわち、第２電極６及び第３電極７への印加電圧Ｖ２，Ｖ３は実施例１と同じとした（すなわち、第２電極６の電圧Ｖ２は０Ｖとし、第３電極７への印加電圧は−４０Ｖとした）が、第１電極５の電圧は、各フィールド期間で一定とはせずに、
・  最初のサブフィールド期間Ｆｉ１では＋２０Ｖ又は−２０Ｖとし、
・  次のサブフィールド期間Ｆｉ１では＋８Ｖ（つまり、＋２０Ｖの４０％）又は−８Ｖ（つまり、−２０Ｖの４０％）、
とした。なお、フィールド期間やサブフィールド期間の長さは同じとした。
【００７４】
本実施例においても、実施例１，２と同様の効果が得られた。
【００７５】
また、第１電極５の電圧Ｖ１を後半のサブフィールド期間Ｆｉ２では下げているので、第３電極７に印加する電圧が低くてもカウンターイオンの円滑な移行を達成できた。
【００７６】
【発明の効果】
以上説明したように、本発明によると、保持特性の良好な駆動を可能とすることができる。
【図面の簡単な説明】
【図１】本発明にて駆動される電気泳動表示装置の構造の一例を示す断面図。
【図２】本発明に係る電気泳動表示装置の駆動方法の一例を示す駆動波形図。
【図３】本発明に係る電気泳動表示装置の駆動方法の他の例を示す駆動波形図。
【図４】本発明に係る電気泳動表示装置の駆動方法のさらに他の例を示す駆動波形図。
【符号の説明】
１          第１基板
２          第２基板
３          絶縁性液体
４          帯電粒子
５          第１電極
６          第２電極
７          第３電極
【図１】
2004294718.tif 000003
【図２】
2004294718.tif 000004
【図３】
2004294718.tif 000005
【図４】
2004294718.tif 000006